(57)【要約】【目的】第三者が本人に成りすましてサービスの提供を受けることを阻止することができる本人認証システムを提供すること。【構成】特定のサービスを提供する際の本人認証に関するものであって、サービスの提供を受けようとする本人が、サービス提供者に対して予め自分の所有する携帯電話の電話番号を告知する手段と、サービス提供者が前記告知された携帯電話の電話番号に基づいてその携帯電話の位置情報を取得する手段とを有し、前記手段により取得した携帯電話の位置が前記特定のサービスを提供する場所と同じ位置にある場合には本人がその場に居るものと判断し、前記特定のサービスの提供を許可する。【選択図】      図１
2004220066.tif 000002
【特許請求の範囲】
【請求項１】
特定のサービスを提供する際の本人認証に関するものであって、サービスの提供を受けようとする本人が、サービス提供者に対して予め自分の所有する携帯電話の電話番号を告知する手段と、サービス提供者が前記告知された携帯電話の電話番号に基づいてその携帯電話の位置情報を取得する手段とを有し、前記手段により取得した携帯電話の位置が前記特定のサービスを提供する場所と同じ位置にある場合には本人がその場に居るものと判断し、前記特定のサービスの提供を許可することを特徴とする本人認証システム。
【請求項２】
本人認証システムを用いた印刷サービスであって、特定のサービスとしてネットワーク経由で受信した印刷データの印刷サービスを提供するものであって、前記印刷サービスの提供者にネットワークを経由して印刷データを送信する手段と、印刷データを送信する際に自分が所有する携帯電話の電話番号情報を付加して送信する手段とを有し、印刷サービス依頼者が印刷サービスを提供する場所に現れ、請求項１記載の本人認証システムにより、本人であると認証できた場合にのみ印刷サービスを提供することを特徴とする印刷サービス。
【発明の詳細な説明】
【０００１】
【発明の属する技術分野】
本発明は、携帯情報機器を使った本人認証を用いたサービス提供の方法に関するものであり、特に本人認証を用いて印刷サービスの提供を行うシステムに関するものである。
【０００２】
【従来の技術】
以下に添付図面を参照して従来例について説明する。
【０００３】
図３は従来の印刷サービスの提供例について示した概略図である。図中、図１の構成と同じ部分については同じ番号を割り振っている。
【０００４】
印刷データをプリントサービス店１０４で出力したい依頼者１０５は、印刷データをインターネット１０２を経由してプリントサービス店１０４に送る。このとき、依頼者１０５は、送信した印刷データに対して暗証番号を設定することができる。
【０００５】
その後、プリントサービスの依頼者１０５は、実際にプリントサービス店１０４に赴き、自分の送信した印刷データの印刷をプリントサービス店１０４内のプリンタ１０７で行う。このとき、プリンタ１０７は、プリントサービスの提供に先立って暗証番号の入力を要求する。
【０００６】
依頼者１０５が入力した暗証番号が予め設定した前記暗証番号と一致した場合には、プリンタ１０７は印刷を許可する。
【０００７】
一方、依頼者１０５が入力した暗証番号が予め設定した前記暗証番号と一致しない場合には、プリンタ１０７は印刷を許可しない。
【０００８】
このようにして暗証番号を基に印刷データを送信した本人がその場にいるかどうかを確認し、プリントサービスの提供を許可するか否かを判断する。
【０００９】
【発明が解決しようとする課題】
しかしながら、暗証番号による本人認証方式では、万一パスワードが第三者に知られてしまった場合、悪意のある第三者が暗証番号を不正に使用して、本人に成りすますことができるという問題があった。
【００１０】
本発明は上記問題に鑑みてなされたもので、その目的とする処は、第三者が本人に成りすましてサービスの提供を受けることを阻止することができる本人認証システム及び印刷サービスを提供することにある。
【００１１】
【課題を解決するための手段】
上記目的を達成するため、本発明は、特定のサービスを提供する際の本人認証に関するものであって、サービスの提供を受けようとする本人が、サービス提供者に対して予め自分の所有する携帯電話の電話番号を告知する手段と、サービス提供者が前記告知された携帯電話の電話番号に基づいてその携帯電話の位置情報を取得する手段とを有し、前記手段により取得した携帯電話の位置が前記特定のサービスを提供する場所と同じ位置にある場合には本人がその場に居るものと判断し、前記特定のサービスの提供を許可することを特徴とする。
【００１２】
又、本発明は、本人認証システムを用いた印刷サービスであって、特定のサービスとしてネットワーク経由で受信した印刷データの印刷サービスを提供するものであって、前記印刷サービスの提供者にネットワークを経由して印刷データを送信する手段と、印刷データを送信する際に自分が所有する携帯電話の電話番号情報を付加して送信する手段とを有し、印刷サービス依頼者が印刷サービスを提供する場所に現れ、請求項１記載の本人認証システムにより、本人であると認証できた場合にのみ印刷サービスを提供することを特徴とする。
【００１３】
従って、本発明によれば、サービスの提供を受けようとする本人が予め自分の所有する携帯電話の電話番号を登録し、サービスの提供者は、その電話番号を基にしてその携帯電話の位置情報を取得し、その位置がサービスを提供する場所と同じ位置にある場合には本人がその場に居るものと判断してサービスの提供を許可することにより、第三者が本人に成りすましてサービスの提供を受けることを阻止することができる。
【００１４】
【発明の実施の形態】
以下に本発明の実施の形態を添付図面に基づいて説明する。
【００１５】
図１は本発明を利用した印刷サービスの提供例について示した概略図である。
【００１６】
印刷データをプリントサービス店１０４で出力したい依頼者１０５は、印刷データをインターネット１０２を経由してプリントサービス店１０４に送る。このとき、依頼者１０５は、自分の携帯電話１０６の電話番号情報もプリントサービス店に送る。
【００１７】
その後、プリントサービスの依頼者１０５は、実際にプリントサービス店１０４に赴き、自分の送信した印刷データの印刷をプリントサービス店１０４内のプリンタ１０７で行う。このとき、プリンタ１０７は、印刷データと一緒に送られてきた携帯電話の電話番号を基にその携帯電話の位置情報をＧＰＳ１０３に問い合わせる。ＧＰＳ１０３は、携帯電話の位置情報を取得し、これをプリンタ１０７に返す。
【００１８】
その結果、プリンタ１０７が取得した携帯電話１０６の位置情報がプリンタ１０７の設置されている位置に等しければ、プリント依頼者が実際にプリントサービス店１０４に来店しているものと判断できるため、この印刷を許可する。
【００１９】
一方、プリンタ１０７が取得した携帯電話１０６の位置情報がプリンタ１０７の設置されている位置に等しくなければプリンタ１０７は印刷要求を拒否し、プリントサービスの提供は行わない。
【００２０】
このようにして本人の携帯電話の電話番号を基にその携帯電話の位置情報を確認することで本人がその場に居るかどうかを確認し、その認証結果と合わせてプリントサービスの提供を許可するか否かを判断する。
【００２１】
【発明の効果】
以上の説明で明らかなように、本発明によれば、サービスの提供を受けようとする本人が予め自分の所有する携帯電話の電話番号を登録し、サービスの提供者はその電話番号を基にしてその携帯電話の位置情報を取得し、その位置がサービスを提供する場所と同じ位置にある場合には本人がその場に居るものと判断してサービスの提供を許可することにより、第三者が本人に成りすましてサービスの提供を受けることを阻止するものである。
【図面の簡単な説明】
【図１】本発明を用いた実施の形態の概略を示す図である。
【図２】本発明の実施の形態のフローチャートである。
【図３】従来例の概略を示す図である。
【図４】従来例のフローチャートである。
【符号の説明】
１０１      ホストコンピュータ
１０２      インターネット網
１０３      ＧＰＳ衛星
１０４      プリントサービス店
１０５      プリントサービス依頼者
１０６      携帯電話
１０７      プリンタ
【図１】
2004220066.tif 000003
【図２】
2004220066.tif 000004
【図３】
2004220066.tif 000005
【図４】
2004220066.tif 000006